(57)【特許請求の範囲】
【請求項１】
電子機器に設けられこの電子機器の信号線を外部機器の信号線と接続する接続装置であって、
前記信号線に結合された可変フィルタと、
この可変フィルタのフィルタ値を変更して前記信号線に流れる信号波形を変化させる信号波形制御手段と、
前記外部機器の種別情報を判断する判断手段とを備え、
予め定められた複数のフィルタ定数値の何れかを、前記判断手段によって判断された種別情報に基づいて選択し前記可変フィルタのフィルタ値を可変することを特徴とする接続装置。
【請求項２】
電子機器に設けられこの電子機器の信号線を外部機器の信号線と接続する接続装置であって、
前記信号線に結合された可変フィルタと、
この可変フィルタのフィルタ値を変更して前記信号線に流れる信号波形を変化させる信号波形制御手段と、
前記外部機器の種別情報を判断する判断手段と、
複数のフィルタ定数値を記憶するフィルタ定数値記憶手段とを備え、
前記判断手段によって判断された種別情報に基づき前記フィルタ定数値記憶手段から予め定められたフィルタ定数値を選択的に読み出して前記可変フィルタのフィルタ値を可変することを特徴とする接続装置。
【請求項３】
前記信号波形制御手段は、前記外部機器の信号線からの信号波形が正常か否かを検出する検出手段を備え、この検出手段によって正常でなかったことが検出された際に前記信号波形制御手段によって前記可変フィルタのフィルタ値を可変することを特徴とする請求項１又は２に記載の接続装置。
【請求項４】
前記信号波形制御手段は、複数のフィルタ定数値を記憶するフィルタ定数値記憶手段と、このフィルタ定数値記憶手段に記憶されたそれぞれのフィルタ定数値を用いて前記可変フィルタのフィルタ値を順次可変させるフィルタ値可変制御手段とを備えたことを特徴とする請求項１又は３に記載の接続装置。
【請求項５】
更に、複数のフィルタ定数値を記憶するフィルタ定数値記憶手段を備え、
前記判断手段によって判断された種別情報に基づき前記フィルタ定数値記憶手段から予め定められたフィルタ定数値を選択的に読み出して前記可変フィルタのフィルタ値を可変することを特徴とする請求項１又は３に記載の接続装置。
【請求項６】
前記信号波形制御手段は、前記フィルタ定数値記憶手段に記憶されたそれぞれのフィルタ定数値を用いて前記可変フィルタのフィルタ値を順次可変させるフィルタ値可変制御手段を備えたことを特徴とする請求項２に記載の接続装置。
【請求項７】
前記接続装置はＵＳＢ接続装置であり、前記電子機器はＵＳＢ接続におけるホスト側の電子機器であり、前記外部機器は前記ホスト側の電子機器にＵＳＢ接続される周辺電子機器であることを特徴とする請求項１乃至６のいずれかに記載の接続装置。
【請求項８】
前記接続装置はＵＳＢ接続装置であり、前記外部機器はＵＳＢ接続におけるホスト側の電子機器であり、前記電子機器は前記ホスト側の電子機器にＵＳＢ接続される周辺電子機器であることを特徴とする請求項１乃至６のいずれかに記載の接続装置。
【発明の詳細な説明】
【技術分野】
【０００１】
この発明は、電子機器に組み込まれ、外部の電子機器の信号線と接続して情報の授受を行う接続装置に関する。
【背景技術】
【０００２】
従来、電子機器間を接続して各種情報を授受させる為の接続装置（インターフェイス装置）の規格として、ＵＳＢ（Universal  Serial  Bus）と称される規格が知られている。図８は、ホスト側となるパーソナルコンピュータ（以下、パソコンと称呼する。）１にクライアント側（周辺機器側）となるデジタルカメラ２をＵＳＢ接続によって接続した一般的な例を示したもので、ホスト側のパソコン１のコネクタ部１Ａからは、Ｄ＋線、Ｄ−線がＵＳＢ制御回路１Ｂと接続されており、また、グランド線はグランドＧに接続されている。そしてＤ＋線及びＤ−線の途中にはフィルタ回路部１Ｃが設けられており、このフィルタ回路部１Ｃのフィルタ定数値は、Ｄ＋線及びＤ−線を介して送られる波形信号がＵＳＢ規格に添った波形となる様な値に予め設定されている。
【０００３】
一方、パソコン１の周辺機器となるデジタルカメラ２においても、コネクタ部２Ａ、ＵＳＢ制御回路２Ｂ、フィルタ回路部２Ｃ、Ｄ＋線、Ｄ−線及びグランド線がパソコン１と同様に設けられている。
【０００４】
そして、コネクタ部１Ａと２ＡとはＵＳＢ接続ケーブル３によって接続され、Ｄ＋線及びＤ−線を介して授受される情報がそれぞれのＵＳＢ制御部１Ｂ及び２Ｂに送られ、更に、パソコン１のホストＣＰＵ１Ｄ及びデジタルカメラ２のクライアントＣＰＵ２Ｄに送られて処理され、更に表示部や記憶部などの各部に送られて表示或いは記憶されるものである。
しかして、上記フィルタ回路部１Ｃ及び２Ｃのフィルタは、機器の開発段階で、ＥＭＩ測定と信号波形テストを行うことによってその構成やフィルタ定数値が決定されている。即ち、Ｄ＋線及びＤ−線の信号波形が規格に沿ったアイパターンとなる様にフィルタ回路部１Ｃ及び２Ｃの抵抗値やコンデンサ容量などが予め定められた値に設定されているものである。
【０００５】
そして、このようなＵＳＢ接続の場合、フィルタ回路部を制御することにより情報の授受を制御することも考えられており、例えば、複数の外部機器とＵＳＢ接続させた際に、情報の授受を必要としないＵＳＢ接続に対しては、フィルタ回路の帯域幅を制御して情報の授受を停止させることが知られている（特許文献１参照）。
【特許文献１】特開２００１−３２０３８７号公報
【発明の開示】
【発明が解決しようとする課題】
【０００６】
上述した如く、ＵＳＢのフィルタ回路部は、機器の開発段階で信号波形テストを行うことによってフィルタ定数値が決定されているものではあるが、市場に出回っている電子機器においては、信号波形がＵＳＢ規格のアイパターンに添わないものも見受けられる。この原因としては、経時変化によってフィルタ定数値が変化してしまう場合や、信号波形テストを行わない場合、他の機器で使用されていたフィルタ回路をそのまま流用して使用してしまった場合などが考えられる。
【０００７】
このような、信号波形が規格のアイパターンに添わない機器と接続した場合には、ＵＳＢ接続機能が備えられているにもかかわらず情報の授受が出来ないという事態が発生し、極めて不都合なものであった。
【０００８】
また、例えば図９に示す様に、デジタルカメラ２をクレードル４に装着し、コネクタ部２Ａからの信号をクレードル４内部の配線４Ｂを介してコネクタ部４Ａに導き、コネクタ部４からＵＳＢ接続ケーブル３を介してパソコン１に接続させる様にした場合、配線４Ｂ上に雑音を除去する様なフィルタ４Ｃが設けられていると、フィルタがフィルタ回路部２Ｃ及びフィルタ４Ｃの２重構成となって波形が崩れやすく、正常な送受信が出来なくなる可能性もあった。
【０００９】
また、このような場合では、デジタルカメラ２のフィルタ回路部２Ｃは、図８の如くしてパソコンに接続する時にも、また、図９の如くフィルタ４Ｃを介して接続する時であっても、いずれもＵＳＢ規格の信号波形となる様にフィルタ定数値を設定しなければならず、誤差の許容範囲が狭くなり設計難易度が高くなってしまうという欠点があった。
【００１０】
この発明の課題は、外部機器の種別によっては信号線に供給される信号波形が情報の授受を行うのに困難な波形であったとしても、極めて容易な構成で信号波形を情報の授受を行うことが出来る波形に変更し、装置相互の情報の授受を可能にした接続装置を提供することにある。
【課題を解決するための手段】
【００１１】
請求項１記載の発明による接続装置は、電子機器に設けられこの電子機器の信号線を外部機器の信号線と接続する接続装置であって、前記信号線に結合された可変フィルタと、この可変フィルタのフィルタ値を変更して前記信号線に流れる信号波形を変化させる信号波形制御手段と、前記外部機器の種別情報を判断する判断手段とを備え、予め定められた複数のフィルタ定数値の何れかを、前記判断手段によって判断された種別情報に基づいて選択し前記可変フィルタのフィルタ値を可変することを特徴とする。
【００１２】
また、請求項２記載の発明による接続装置は、電子機器に設けられこの電子機器の信号線を外部機器の信号線と接続する接続装置であって、前記信号線に結合された可変フィルタと、この可変フィルタのフィルタ値を変更して前記信号線に流れる信号波形を変化させる信号波形制御手段と、前記外部機器の種別情報を判断する判断手段と、複数のフィルタ定数値を記憶するフィルタ定数値記憶手段とを備え、前記判断手段によって判断された種別情報に基づき前記フィルタ定数値記憶手段から予め定められたフィルタ定数値を選択的に読み出して前記可変フィルタのフィルタ値を可変することを特徴とする。
【発明の効果】
【００１７】
本発明によれば、外部機器の種別に応じて、信号線に結合された可変フィルタのフィルタ値を可変して前記信号線に流れる信号波形を変化させる様にしたので、外部機器の種別によっては信号波形が情報の授受を行うのに困難な波形であったとしても、極めて容易に情報の授受を行うことが出来る。
【発明を実施するための最良の形態】
【００２２】
［第１実施例］
以下、図１乃至図３を参照して本発明の第１実施例を説明する。この第１実施例は、図８に示したパソコンとデジタルカメラとがＵＳＢ接続された構成のうち、パソコン側に本発明を適用した例を示しており、デジタルカメラについては図８と同一構成であるので図面及びその詳細な説明は省略する。
【００２３】
しかして、図１はＵＳＢ接続においてホスト側の電子機器となるパソコン（パーソナルコンピュータ）５の回路構成図である。図において、ＣＰＵ（制御部）６は、図示していないＣＰＵ、ＲＯＭ（リード・オンリ・メモリ）等から構成され、カメラ全体の動作を制御するための各種プログラムや後述するフィルタ定数値などの各種データを内部に備えている。この制御部１には、表示部７、記憶部８、記録部９、入力部１０、通信制御部１１及びＵＳＢ制御回路１２等が接続されている。
【００２４】
表示部７は、液晶表示装置或いはＣＲＴ等から構成されＣＰＵ６で処理された各種情報を表示するものであり、記憶部８は、読み出し及び書き込みが可能な揮発性のメモリであるＲＡＭ（ランダム・アクセス・メモリ）、或いは不揮発性のメモリである、例えばフラッシュメモリ等から構成されている。
【００２５】
記録部９は、ハードデイスク或いは図示しない着脱可能な外部メモリなどから構成され、ＣＰＵ６で処理された各種情報を記録するものである。入力部１０は図示しない多数の数値文字キー及びファンクションキーを備えたキーボードから構成される。
【００２６】
通信制御部１１は、外部の電子機器やネットワークと接続され、各種情報の送受信を制御するものである。なお、外部の電子機器やネットワークとの接続は、ケーブルなどによる有線で行ってもよく、或いは赤外線や無線などのワイヤレス接続で行っても良い。
【００２７】
ＵＳＢ制御回路１２は、コネクタ部１３を介して外部の電子機器、例えば図８で示したデジタルカメラ２とＵＳＢ規格による情報の授受を行うもので、コネクタ部１３とＶＢＵＳ線、Ｄ＋線及びＤ−線の３つの信号線が接続されている。
【００２８】
このうち、ＶＢＵＳ線は５Ｖの信号線であり、また、Ｄ＋線上には、例えば２２Ωの抵抗１４及び１５が直列に設けられていると共に、抵抗１４とＵＳＢ制御回路１２との間には２２Ｐ（ピコファラド）のコンデンサ１８、抵抗１５とコネクタ部１３との間には２２Ｐのコンデンサ２０がそれぞれグランドとの間に設けられている。
【００２９】
更に、Ｄ−線上には同様に２２Ωの抵抗１６及び１７が直列に設けられていると共に、抵抗１６とＵＳＢ制御回路１２との間には２２Ｐのコンデンサ１９、抵抗１７とコネクタ部１３との間には２２Ｐのコンデンサ２１がそれぞれグランドとの間に設けられている。
【００３０】
また、抵抗１４と１５の間及び抵抗１６と１７との間にはポテンシャルメータ（可変抵抗）２２がグランドとの間に設けられており、ポテンシャルメータ２２は、ＣＰＵ６からの制御信号Ｆによってその抵抗値が可変される様に構成されている。
【００３１】
尚、上記ポテンシャルメータ２２は、抵抗１４と１５の間とグランドとの間に図示しない第１の可変抵抗が設けられ、抵抗１６と１７との間とグランドとの間に図示しない第２の可変抵抗が設けられているものであるが、それぞれＣＰＵ６からの制御信号Ｆによってそれぞれの抵抗値が同じ抵抗値に可変されるので、図では両者をまとめて一つのポテンシャルメータ２２としてある。
【００３２】
しかして、Ｄ＋線上のコンデンサ２０と抵抗１５及びポテンシャルメータ２２とからなる回路構成及びＤ−線上のコンデンサ２１と抵抗１７及びポテンシャルメータ２２とからなる回路構成は可変フィルタ回路２３を構成しているもので、Ｄ＋線上及びＤ−線上に流れる信号の波形を変化させることが出来る。
【００３３】
即ち、ポテンシャルメータ２２の抵抗値を変えることによって、抵抗１５及びポテンシャルメータ２２からなる抵抗値（インピーダンス特性）が変化するので、可変フィルタ回路のフィルタ値が変化する。これによって、Ｄ＋線上の信号波形は、カットされる周波数が変化するばかりか、波形自体の周波数も変化させることが出来る。また、Ｄ−線上のコンデンサ２１と抵抗１７及びポテンシャルメータ２２とからなる回路構成も、上記コンデンサ２０と抵抗１５及びポテンシャルメータ２２とからなる回路構成と同様に可変フィルタ回路２３を構成することになる。
【００３４】
図２は、電源投入がなされた際にＣＰＵ６の図示しないＲＯＭから読み出され記憶部８の予め定められた領域に展開されるフィルタ定数テーブルを示している。即ち、フィルタ定数Ａの記憶領域８Ｂ乃至フィルタ定数Ｄの記憶領域８Ｅは、ＲＯＭから読み出されたそれぞれ異なったフィルタ定数値Ａ乃至Ｄを記憶する領域であり、これらの記憶領域８Ｂ乃至８Ｅに記憶されたフィルタ定数値Ａ乃至Ｄのいずれかが選択されて読み出され定数記憶領域８Ａに記憶される。
【００３５】
この場合、フィルタ定数値Ａ乃至Ｄのうちフィルタ定数値Ａは、上述した可変フィルタ回路２３をＵＳＢ規格に沿ったフィルタ回路として動作させるための定数値で有り、フィルタ定数値Ｂ乃至Ｄは、それぞれフィルタ定数値Ａよりも順次大きい、或いは順次小さい定数値となっている。
【００３６】
しかして、定数設定領域８Ａに記憶されたフィルタ定数値は、ポテンシャルメータ２２の抵抗値を変えるために用いられるもので、ＣＰＵ６から出力される制御信号Ｆは、フィルタ回路２３のフィルタ値がこの定数設定領域８Ａに設定された定数値となる様な制御信号である。
【００３７】
次に、上述した構成においてＣＰＵ６によって制御される動作を図３のフローチャートを用いて説明する。まず、ステップＳ１では、パソコン１の電源が投入されると、記憶部８の領域８Ｂ乃至８Ｅにそれぞれフィルタ定数値Ａ乃至Ｄのデータが記憶設定され、更に、定数記憶領域８Ａには、領域８Ｂのフィルタ定数値Ａが記憶される。これによって可変フィルタ回路２３は、フィルタ定数値Ａに対応したフィルタ値のフィルタ回路として動作することとなる。
【００３８】
そして、次のステップＳ２では、Ｄ＋線、Ｄ−線の電圧変化などに基づきコネクタ部１３を介して外部の周辺機器（本実施例では図８のデジタルカメラ２）の信号線とのＵＳＢ接続がなされたか否かが判断される。Ｄ＋線、Ｄ−線の電圧変化により接続が検知された場合にはステップＳ３に進み、接続を確立させるためのデータ送信を行う。
【００３９】
その後、ステップＳ４では、ステップＳ３でのデータ送信に対して応答信号を受信したか否かの判断を行う。周辺機器からの信号波形がＵＳＢ規格に合致している場合には応答信号が受信できるのでステップＳ５及びＳ６に進み、送受信する情報の授受を全ての情報の送受信が完了するまで行い、処理を終了する。
【００４０】
ステップＳ４において応答信号が所定時間経っても受信できなかった場合には、即ち、デジタルカメラ２からの信号波形がＵＳＢ規格に合致した正常のものでなく受信できなかった場合にはステップＳ７に進み、定数設定領域８Ａに設定されたフィルタ定数が、最後の領域８Ｅのフィルタ定数Ｄであったか否か判断される。
【００４１】
この時点では、定数設定領域８Ａに設定されたフィルタ定数は、領域８Ｂのフィルタ定数ＡなのでステップＳ８に進み、次の領域８Ｃのフィルタ定数値Ｂを定数設定領域８Ａに設定してステップＳ３に戻る。
【００４２】
この処理によって、可変フィルタ回路２３は、フィルタ定数値Ｂに対応したフィルタ回路に変更され、以後、ステップＳ３でのデータ送信とステップＳ４での応答信号の有無判断がなされ、応答信号が検出されるとステップＳ５及びＳ６に進んで情報の授受を行うが、応答がない場合には、更にステップＳ８において次の領域８Ｄのフィルタ定数値Ｃの設定を行ってステップＳ３に戻る。
【００４３】
このようにして、最後のフィルタ定数値Ｄによっても応答信号が検出出来なかった場合には、ステップＳ７からステップＳ９に進んで、ＵＳＢ接続による送受信が不可能である旨のエラー報知を行うもので、このエラー報知は、例えば表示部７にその旨を表示する。
このように、この第１実施例では、ホスト電子機器であるパソコン５のＤ＋線及びＤ−線に可変フィルタ回路２３を結合し、周辺機器と接続が確立されなかった場合、即ち周辺機器から送られてくる信号の波形がＵＳＢ規格に合致していない場合には、可変フィルタ回路２３のフィルタ値を順次異なった値に変更して信号波形の周波数を変更させ、ＵＳＢ規格に合致した波形となった時に情報の授受を行わせる様にしているものであり、周辺機器の信号線から送られてくる信号波形がＵＳＢ規格から外れたものであってもＵＳＢ接続による通信を行わせることが出来るものである。
【００４４】
［第２実施例］
図４及び図５は、本発明の第２実施例を示している。尚、第１実施例と同一構成部及び同一処理部（動作フローチャートの同一処理ステップ）には、同一符号を付してその詳細な説明は省略する。
【００４５】
この第２実施例においては、図９の如くデジタルカメラ２をクレードル４を介してパソコン１にＵＳＢ接続させる様な場合、即ち、フィルタが２重構造となっている場合に特に有効である。
【００４６】
図４において、パソコン５には、外部機器、例えばクレードル４との接続端子３０がＵＳＢ接続用のコネクタ１３とは別に設けられており、接続端子３０からは外部機器の種類を示す種別信号が外部機器から送られてくる様になっており、種別信号はＣＰＵ６に送られて接続された外部機器の種類が判断される。
【００４７】
一方、電源投入がなされた際にＣＰＵ６の図示しないＲＯＭから読み出され記憶部８の予め定められた領域に展開されるフィルタ定数テーブルは、図２と同様の構成になっているが、記憶領域８Ｂ乃至記憶領域８Ｅに記憶されるフィルタ定数値Ａ乃至Ｄは、それぞれ外部機器の種類毎のフィルタ定数値となっている。
【００４８】
図５は、上記図４の如く構成されたパソコン５の動作フローチャートを示しており、図３に示した動作フローチャートに対して、ステップＳ１の代わりにステップＳ１０が設けられ、ステップＳ２とステップＳ３との間に新たにステップＳ１１及びＳ１２が付け加えられ、更にステップＳ７及びＳ８が省略されている点が異なる。
【００４９】
即ち、電源が投入された後のステップＳ１０では、記憶部８の記憶領域８Ｂ乃至記憶領域８Ｅにそれぞれ外部機器の種類毎のフィルタ定数値が設定記憶され、ステップＳ２において外部機器とのＵＳＢ接続が検出された際には、ステップＳ１１で接続端子３０から接続された外部機器の種別情報を判別し、次のステップＳ１２では、記憶領域８Ｂ乃至記憶領域８Ｅに記憶されたフィルタ定数値のうち、判別された種別情報に対応するフィルタ定数値が定数設定領域８Ａに記憶されるものである。
【００５０】
これによって、可変フィルタ回路２３は、ＵＳＢ接続された外部機器に対応するフィルタ値で動作するので正常な情報の送受信が成し得るものである。
【００５１】
［第３実施例］
図６及び図７は、本発明の第３実施例を示している。この第３実施例では、ホスト側の電子機器でなく、ホスト側の電子機器にＵＳＢ接続される周辺機器に本発明を適用した例を示しており、周辺機器として、ＰＤＡ（パーソナル・デジタル・アシスタンツ）４０に本発明を適用した例である。
【００５２】
しかして、ＰＤＡ４０の主要部の構成は、第１実施例及び第２実施例に示したパソコン５とほとんど同一であるので、同一構成部には同一番号を付して詳細な説明は省略し、相違点に関してのみ以下に説明する。図６において、ＶＢＵＳ線はＣＰＵ６に送られると共に直列接続されたスイッチングトランジスタ４１及び抵抗成分４２を介してＤ＋線に接続されている。そして、スイッチングトランジスタのゲートにはＣＰＵからの制御信号Ｇが与えられており、制御信号Ｇによってスイッチングトランジスタのオン／オフが制御される。
また、ＣＰＵ６のＲＯＭには、接続端子３０に接続される外部機器の種類毎に、それぞれ複数のフィルタ定数値が記憶されているもので、即ち、接続端子３０に接続される外部機器がパソコンの時には記憶部８の記憶領域８Ｂ乃至記憶領域８Ｅにそれぞれ記憶される対パソコン用のフィルタ定数値Ｐ１乃至Ｐ４が記憶されており、また、接続端子３０に接続される外部機器が印刷装置の時には記憶部８の記憶領域８Ｂ乃至記憶領域８Ｅにそれぞれ記憶される対印刷装置用のフィルタ定数値Ｑ１乃至Ｑ４が記憶されている。
【００５３】
図７は、上述したＰＤＡ４０の動作フローチャートで、電源が投入された後のステップＳ１では、各部の初期設定が行われるが、記憶部８の記憶領域８Ｂ乃至記憶領域８Ｅにはまだフィルタ定数値の設定記憶は行われない。そして、ステップＳ２において、ＶＢＵＳ信号（＋５Ｖ）が検出されることによって外部機器とのＵＳＢ接続がなされたことを判断し、次のステップＳ１１で接続端子３０を介して送られてくる種別情報から接続された外部機器の種別を判別し、次のステップＳ１２では、判別された外部機器のフィルタ定数値が記憶領域８Ｂ乃至記憶領域８Ｅに記憶され、更に、最初の記憶領域８Ｂのフィルタ定数値が定数設定領域８Ａに記憶されるものである。
【００５４】
例えば、接続されたホスト側の外部機器がパソコンであった場合には、対パソコン用のフィルタ定数値Ｐ１乃至Ｐ４がそれぞれ記憶領域８Ｂ乃至記憶領域８Ｅに記憶され、更に、最初の記憶領域８Ｂのフィルタ定数値Ｐ１が定数設定領域８Ａに記憶されるものである。
そして、次にステップＳ１３では、スイッチングトランジスタ４１をオンにすることによってＤ＋線を介して＋５Ｖ電圧を外部機器に送出する。
【００５５】
外部機器では、Ｄ＋線から信号があると接続を確立させるための信号を出力するので、ステップＳ４ではこれを検出し、検出できた場合にはステップＳ５及びS６に進んで情報の授受を行い、検出できなかった場合には、ステップS７以下に進んで、可変フィルタ回路２３のフィルタ値をパソコン用のフィルタ定数値Ｐ２乃至Ｐ４に順次変更させる処理を行うものである。
【００５６】
このように、この第３実施例では、外部機器の種類毎に複数のフィルタ定数値で可変フィルタ回路２３を制御するので、外部機器との接続を確立させる確率を高めることが出来る。
【００５７】
尚、上記の各実施例においては、電源投入後にＵＳＢ接続がなされたか否かを検出して外部機器との情報の授受を行わせる様にしたが、ＵＳＢ接続は電源投入時だけでなく任意の時点でなされるものであり、それ故、ＣＰＵ６がいかなる処理動作中であってもＵＳＢ検出がなされると割り込み処理で上述した各処理を行わせる様にすればよいものである。
【００５８】
また、上記各実施例では、ポテンシャルメータ２２を設けて可変フィルタ回路の抵抗値を変えてフィルタ値を変化させる様にしたが、コンデンサの容量を変えることによってフィルタ値を可変させてもよい。
【００５９】
更に、フィルタ定数値は４つの値を順次変化させる様にしたが、更に多くの定数値を設けてきめ細かく変化させる様にしてもよく、また、ＣＲ回路以外のフィルタ回路であってもよい。
【００６０】
更にまた、フィルタ定数値は、ＣＰＵ６のＲＯＭから記憶部８にプリセットさせた後にフローチャートの処理に従って可変フィルタ回路２３を制御させる様にしたが、プログラムに基づいて直接ＲＯＭから可変フィルタ回路２３に供給して可変させてもよい。
【００６１】
また、上記各実施例では、ＵＳＢ接続の場合のみについて説明したが、信号線にフィルタ回路を設けて情報の授受を行う通信方式であればＵＳＢ以外の通信方式であっても本発明を適用できる。
【００６２】
更に、上記実施例では、パソコン、デジタルカメラ、ＰＤＡに本発明を適用した例について述べたが、他の電子機器、例えば携帯電話、ＰＤＡ、腕時計、音楽再生機、ゲーム機などであっても、本発明を適用できることは勿論である。
【図面の簡単な説明】
【００６３】
【図１】本発明を適用したパーソナルコンピュータの回路構成を示したブロック図。
【図２】図１の記憶部８の内容を示した図。
【図３】図１の動作フローチャートを示す図。
【図４】本発明による第２実施例の回路構成図。
【図５】図４の詳細な動作フローチャートを示す図。
【図６】本発明の第３実施例を示す回路構成図。
【図７】図６の詳細な動作フローチャートを示す図。
【図８】従来技術を示す図。
【図９】他の従来技術を示す図。
【符号の説明】
【００６４】
６  ＣＰＵ（制御部）
７  表示部
８  記憶部
１２  ＵＳＢ制御回路
１３  コネクタ部
２２  ポテンシャルメータ
２３  可変フィルタ部
【図１】
0004811065.tif 000002
【図２】
0004811065.tif 000003
【図３】
0004811065.tif 000004
【図４】
0004811065.tif 000005
【図５】
0004811065.tif 000006
【図６】
0004811065.tif 000007
【図７】
0004811065.tif 000008
【図８】
0004811065.tif 000009
【図９】
0004811065.tif 000010